(57)【特許請求の範囲】
【請求項１】
感知器回線のそれぞれに対応させた複数の地区表示灯と、複数の発信機に対応させた共通の発信表示灯とを備え、火災時にはそれらを点灯させて報知する火災受信機において、
感知器回線の発報、発信機の発報を時系列的に記録する記憶部と、
履歴表示モードが起動されると、地区表示灯ないし発信表示灯を前記記憶部に時系列的に記録させた記録内容に基づいた順序で点灯させることによって、発報履歴を通知する表示制御部とを備え、
前記発報履歴の通知では、発信機の発報を通知する際に、発信機と同時に発報した感知器回線があった場合は、発信表示灯と、その感知器回線に対応した地区表示灯とを同時点灯させる一方、発信機と同時に発報した感知器回線がなかった場合は、発信表示灯と、発信機の直前に発報した感知器回線に対応した地区表示灯とを同時点灯させる、火災受信機。
【請求項２】
請求項１に記載の火災受信機において、
前記発報履歴の通知では、所定操作を受け付ける毎に、現在から過去に向かう順序、あるいは過去から現在に向かう順序で、表示状態を１ステップずつ切り換える、火災受信機。
【請求項３】
請求項２に記載の火災受信機において、
前記発報履歴の通知では、発信表示灯と地区表示灯との同時点灯によって発信機の発報を通知した場合は、発信表示灯と同時点灯させた地区表示灯のみを点灯させるステップを行わない、火災受信機。
【請求項４】
請求項１〜３のいずれか一項に記載の火災受信機を用いた自動火災報知システム。
【発明の詳細な説明】
【技術分野】
【０００１】
本発明は、感知器回線のそれぞれに対応させた複数の地区表示灯と、発信機に対応させた共通の発信表示灯とを備え、火災時にはそれらを点灯させて報知する火災受信機の改良に関する。
【背景技術】
【０００２】
上記のような受信機を用いた自動火災報知システムでは、感知器等の保守やメンテナンスのため、発報あるいは操作の履歴を確認したいという要望がある。従来、そのような履歴は７セグメントＬＥＤ等によってコード表示させたり、紙に印字出力させたりしていた。また受信機における履歴表示に関して、次の特許文献は、受信機に履歴情報を蓄積させ、外部に接続したパーソナルコンピュータによってその情報を読み出すことの記載がある。
【先行技術文献】
【特許文献】
【０００３】
【特許文献１】特開2001-143179号公報
【発明の概要】
【発明が解決しようとする課題】
【０００４】
しかしながら、上記のように履歴をコード化して表示する構成では、その意味が直感的に分かりにくいという問題があった。また表示部に７セグメントＬＥＤを設けたり、外部にパーソナルコンピュータを接続させたりする構成では、その分コストも高くなる。また発信機の発報と、感知器回線の発報とを関連付けて表示することもできなかった。そこで本発明は、地区表示灯や発信表示灯の点灯によって履歴表示し、更にその履歴表示において、発信機の発報と感知器回線の発報とを関連付けて表示できる火災受信機を提供することを目的とする。
【課題を解決するための手段】
【０００５】
本発明は、感知器回線のそれぞれに対応させた複数の地区表示灯と、複数の発信機に対応させた共通の発信表示灯とを備え、火災時にはそれらを点灯させて報知する火災受信機において、感知器回線の発報、発信機の発報を時系列的に記録する記憶部と、履歴表示モードが起動されると、地区表示灯ないし発信表示灯を前記記憶部に時系列的に記録させた記録内容に基づいた順序で点灯させることによって、発報履歴を通知する表示制御部とを備え、前記発報履歴の通知では、発信機の発報を通知する際に、発信機と同時に発報した感知器回線があった場合は、発信表示灯と、その感知器回線に対応した地区表示灯とを同時点灯させる一方、発信機と同時に発報した感知器回線がなかった場合は、発信表示灯と、発信機の直前に発報した感知器回線に対応した地区表示灯とを同時点灯させることを特徴とする。
【０００７】
前記発報履歴の通知では、所定操作を受け付ける毎に、現在から過去に向かう順序、あるいは過去から現在に向かう順序で、表示状態を１ステップずつ切り換えてもよい。
【０００８】
前記発報履歴の通知では、発信表示灯と地区表示灯との同時点灯によって発信機の発報を通知した場合は、発信表示灯と同時点灯させた地区表示灯のみを点灯させるステップを行わなくてもよい。
【０００９】
また本発明は、自動火災報知システムにおいて前記受信機を用いることを特徴とする。
【発明の効果】
【００１０】
本発明は、感知器回線の発報情報を時系列的に記憶し、履歴表示モードでは、地区表示灯や発報灯を逐次選択して点灯させることによって、発報履歴を通知する構成としている。そのため発報履歴の通知用の７セグメントＬＥＤや液晶パネル等は必要とされないので、履歴表示機能を有した受信機を安価に提供できる。
【００１１】
また発報履歴の通知では、発信機の発報を通知する際に、発信表示灯と、発信機と同時（またはその直前）に発報した感知器回線に対応した地区表示灯を同時点灯させるので、その表示を見るだけで、どの感知器回線に対応した発信機が発報したのかが容易に推定できる。
【図面の簡単な説明】
【００１２】
【図１】本発明による受信機の構成を説明するシステム図である。
【図２】表示部による表示の例である。
【図３】記憶部の記録内容の一例を示す図である。
【図４】感知器の基本的構成図である。
【図５】発信機の基本的構成図である。
【図６】発報履歴の記憶手順の一例を示すフローチャートである。
【図７】発報履歴の通知手順の一例を示すフローチャートである。
【図８】発報順序の一例を示す図である。
【図９】（ａ）、（ｂ）は発報履歴の表示順序を説明する図である。
【発明を実施するための形態】
【００１３】
図１に示すように、本発明に係る自動火災報知システムは、複数の感知器回線２および音響回線が受信機１より導出されている。
【００１４】
本発明は低コストなＰ型受信機を想定している。そのため図１は、受信機１の基本構成として、監視状態を示す表示部１１、管理者の操作を受け付ける操作部１２、所定のメッセージを出力する音響部１３、各種情報を記憶する記憶部１４、これらを制御する制御部１５等を示している。
【００１５】
表示部１１は、図２に示すように、感知器回線２のそれぞれに対応した地区表示灯１１ａが配列され、さらに、発信機２２に対応した発信表示灯１１ｃや代表灯１１ｂも設けられている。地区表示灯１１ａの近傍には地区名が記載できるようになっている。なお表示部１１は、コストを抑えるため、液晶パネルや７セグメントＬＥＤは設けなくともよい。
【００１６】
操作部１２は、特に図示しないが、警報停止ボタン、火災確定ボタン、復旧ボタン等によって構成されている。
【００１７】
音響部１３は、特に図示しないが、音声回路やスピーカ等で構成され、所定のメッセージを発する。
【００１８】
記憶部１４は、例えばＳＲＡＭ等のメモリで構成され、自由に書換えできる。本発明では、記憶部１４に感知器回線２や発信機２２の発報情報を時系列的に記録させる。そのため、例えば図３に示すように発報情報を記録させるための所定数（Ｍ）のスロットを準備しておくとよい。このスロットの配列順序が時系列として利用される。
【００１９】
制御部１５は、監視中、感知器回線２に直流電源を供給しながら、その発報（電圧低下）を監視する。そして火災時には、地区表示灯１１ａ、発信表示灯１１ｃや代表灯１１ｂを点灯させるとともに、音響回線３に直流電源を供給して、音響装置３１を鳴動させる。さらに受信機１は、感知器２１が作動した事象（感知器回線の発報）と、発信機２２が操作された事象（発信機の発報）とを時系列的に記憶部１４に記録する。感知器２１の作動と、発信機２２の操作とが同時であれば、感知器２１の作動を先事象、発信機２２の操作を後事象として、２事象に分けて記録する。たとえば図３は、まず感知器回線２＃２に接続されている感知器２１が作動し、その後、未発報の感知器回線２＃１に接続されている発信機２２が操作された場合に記憶部２１に残される記憶内容の例である。ここでは同時に検出した感知器回線２＃１の発報と、発信機２１の発報とが、２事象として記録されている。なお、最初に感知器回線２＃２に接続されている感知器２１が作動し、次いで感知器回線２＃１に接続されている感知器２１が作動し、さらにいずれかの発信機２２が操作された場合も、図３に示すような記憶内容になる。
【００２０】
感知器回線２はいずれも、煙感知器、熱感知器、炎感知器等の各種感知器２１や、発信機２２が渡り配線され、終端抵抗器Ｒによって終端されている。感知器２１の個数は特に制限されない。感知器回線２のそれぞれに接続された発信機２２は、感知器回線２とは異なる発信機信号線４によっても渡り配線されて受信機１に接続されている。
【００２１】
感知器２１は、図４に示すように、監視すべき火災要因に対応した感知部２１ａと、感知器回線２を短絡させる電気スイッチＳＷとを備える。感知部２１ａは、感知器回線２より供給された電源によって作動し、火災要因の検知結果に基づいて、火災時には電気スイッチＳＷをオン制御する。電気スイッチＳＷには、抵抗器ｒが直列接続されていてもよい。
【００２２】
発信機２２は、図５に示すように、火災に気付いた人によって操作される操作部２２ａ（ボタン）と、感知器回線２を短絡させる電気スイッチＳＷと、発信機信号線４を短絡させる電気スイッチＳＷとを備える。電気スイッチＳＷには、抵抗器ｒが直列接続されていてもよい。操作部２２ａは、２つの電気スイッチＳＷをオン制御する。
【００２３】
音響回線３は、複数の音響装置３１が渡り配線されている。音響装置３１は、例えばベルやブザーであって、音響回線３を通じて電源が供給されている間のみ鳴動する。
【００２４】
次いで受信機１の基本動作を説明する。受信機１は、感知器回線２、および発信機信号線４を回線単位で監視する。そのため同一の感知器回線２に接続された感知器２１は区別できない。また同一の感知器回線２に接続された感知器２１と発信機２２も区別できない。しかしながら発信機信号線４が設けられているので、発信機２２の発報は感知器回線２によらずに検知できる。
【００２５】
受信機１は、感知器回線２の発報を検知すると、その感知器回線２に対して蓄積動作を行う。これは非火災報を防止するためであり、所定時間の間、復旧後の再発報が繰り返し確認される。蓄積動作中は代表灯１１ｂが点滅し、音響部１３より「感知器が作動しました」というようなメッセージが発せられる。またその感知器回線２の地区表示灯１１ａも点滅する。
【００２６】
蓄積動作によって所定回数以上の再発報が確認された場合は、火災が判定されて警報が開始される。ここで火災と判定されなかった場合でも、その後所定時間が経過するまでに同一の感知器回線２の発報（２回目発報）が検知されれば、その時点で火災が判定される（感知器発報）。また、蓄積動作中あるいは蓄積動作の終わりから所定時間が経過するまでに別の感知器回線２の発報が検知されれば、その時点で、その２つの感知器回線２について火災が判定される。受信機１は、このような発報を、感知器発報として記憶部１４に記録する。なお発信機信号線４に対する蓄積動作はなく、直ちに火災が判定される。
【００２７】
発信機２２は、感知器回線２と発信機信号線４とに接続されているので、基本的には、発信機２２が操作されると、その発信機２２が接続されている感知器回線２が発報するのと同時に、発信機信号線４も発報する。もしこの時点でその感知器回線２が既に発報していたならば、感知器回線２の状態がさらに変化することはない。
【００２８】
一方、発報していない感知器回線２に接続されている発信機２２の操作によって、その感知器回線２と発信機信号線４とが同時に発報した場合は、受信機１はそのような発報を、感知器回線２の発報を優先して、２事象として記憶部１４に記録する。
【００２９】
火災が判定されると、特定された発報元に応じて地区表示灯１１ａや発信表示灯１１ｃが点灯状態になり、代表灯１１ｂも点灯状態になる。そして音響部１３より「火災です。火災です」というようなメッセージが発せられる。また音響回線３に電源が供給されて音響装置３１が鳴動する。なお地区表示灯１１ａや発信機表示灯１１ｃは、その時点で発報しているものの全てについて点灯される。
【００３０】
このあと操作部１２で警報停止操作がなされると、受信機１は、音響部１３よりのメッセージと、音響装置３１の鳴動とを所定時間停止させる。この停止中に操作部１２で火災確定操作がなされると、音響部１３のメッセージおよび音響装置３１の鳴動とが直ちに再開される。
【００３１】
操作部１２で復旧操作がなされると、受信機１は全ての感知器回線２を復旧させる。復旧は、感知器回線２への電源を遮断して感知器２１等をリセットすればよい。ただしその時点までに消火処置や発信機２２の回復処置が完了していないと、火災が再び検知されるので注意が必要である。
【００３２】
本発明では、上記の基本動作に加えて、発報履歴の記録、表示が可能なので、これについて説明する。
【００３３】
受信機１は、監視中であっても警報中であっても、感知器回線２の発報や発信機２２の発報を検知する毎に、発報情報として記憶部１４に順番に記録する。そして操作部１２の操作によって履歴表示モードが起動されると、地区表示灯１１ａないし発信表示灯１１ｃを、記憶部１４の時系列的な記録内容に基づいた順序で点灯させ、これによって発報履歴が通知される。特定の地区表示灯１１ａ（発信表示灯）の点灯によって、ある時点での発報元を示した回線特定表示の状態のときに、表示切換操作を受け付けると、現在から過去に向かう順序で回線特定表示を１ステップずつ切り換える。このように現在から過去に遡る順序で１ステップずつ通知する構成とすれば、表示の起点が常に現在となるので、理解が容易になる。
【００３４】
そして発信機２２の発報を通知する際には、発信機２２と同時に発報した感知器回線２があった場合は、発信表示灯１１ｃと、その感知器回線２に対応した地区表示灯１１ａとを同時点灯させるようにする。一方、発信機２２と同時に発報した感知器回線２がなかった場合は、発信表示灯１１ｃと、発信機２２の直前に発報した感知器回線２に対応した地区表示灯１１ａとを同時点灯させる。
【００３５】
なお発信表示灯１１ｃと地区表示灯１１ａとの同時点灯によって発信機２２の発報を通知した場合は、その後表示切換操作されたときに、発信表示灯１１ｃと同時点灯させた地区表示灯１１ａのみを点灯させるステップを行わない（飛ばす）。つまり１つの地区表示灯１１ａが２回連続して点灯することはないので、発報履歴を見たときの混乱が防止でき、また発報履歴全体の表示時間も短縮できる。
【００３６】
また点灯させる地区表示灯１１ａを切り換える際には、地区表示灯１１ａ、発信表示灯１１ｃを一旦全消灯させる等してステップの区切りを示せば、同一の感知器回線２が連続して発報していた場合でも、そのことが直ちに理解できる。
【００３７】
図６のフローチャートは、発報履歴の記録手順の一例を示している。記憶部１４には、１〜Ｍ番目のスロットが準備されており、最大Ｍステップの発報履歴が記録できる。またｎはスロットのいずれかを示すポインタである。
【００３８】
ステップ１００は、感知器回線２および発信機２２の発報を監視する処理である。発報がなければこの処理が繰り返される。
【００３９】
ステップ１０１、１０２は、発報した感知器回線２または発信機２２を特定し、感知器回線２と発信機２２の同時発報か、感知器回線２または発信機２２の単独発報なのか判断する処理である。感知器回線２と発信機２２の同時発報は、未発報の感知器回線２に接続されている発信機２２が操作され発報した事象に対応する。一方、感知器回線２または発信機２２の単独発報は、感知器２１の作動によって感知器回線２が発報した事象、あるいは既に発報した感知器回線２に接続されている発信機２２が操作され発報した事象に対応する。
【００４０】
ステップ１０３、１０７は同時発報の場合に、感知器回線２の発報情報と、発信機２２の発報情報とを記録する処理であり、感知器回線２の発報を優先して先に記録している。またステップ１０８は単独発報の場合に、感知器回線２または発信機２２の発報情報を記録する処理である。これらの発報情報は、その時点でポインタｎが指定しているスロット、つまりｎ番目のスロットに書き込まれる。
【００４１】
ステップ１０４〜１０６、１０９〜１１１は、ｎ番目のスロットに発報情報を書き込んだあとに実行されるポインタｎの更新処理である。まずポインタｎの値がＭと一致しているか否かを判断し、一致していればポインタｎの値を「１」に戻す。一致していなければ、ポインタｎの値をプラス１する。このようにすれば、発報情報が昇順で各スロットに書き込まれ、Ｍ番目スロットまで進むと、最初のスロットに戻ることになる。
【００４２】
図７のフローチャートは、発報履歴の通知手順の一例を示している。ここで、Ｆは発信機２２の発報情報が読み出されたことを示すフラグである。またポインタｎは、次に発報があったときに発報情報が書き込まれるべきスロット（最も古い発報情報を保持している）を示していると想定している。ｍはスロットのいずれかを示す第２のポインタである。
【００４３】
ステップ２００では、ポインタｎの値をポインタｍにコピーする処理である。
【００４４】
ステップ２０１〜２０３は、ポインタｍの更新処理である。まずポインタｍの値が「１」であるか否かを判断し、「１」であればポインタｍの値をＭにする。「１」でなければ、ポインタｍの値をマイナス１する。
【００４５】
ステップ２０５は、ｍ番目のスロットから発報情報を読み出す処理である。ステップ２０６では、ステップ２０５で読み出された発報情報が発信機２２の発報を示すものであるか否かを判断する処理である。発信情報が発信機２２の発報を示すものであれば、ステップ２１２でフラグＦをセットして、ステップ２０２に戻り、次のスロットから発報情報を読み出す。
【００４６】
一方、ステップ２０５で読み出された発信情報が発信機２２の発報を示すものでないならば、ステップ２０７でフラグＦがセットされているか否かを判断する。このときフラグＦがセットされているならば、ステップ２０５で読み出された発信情報は、発信機２２の発報直前に記録された発報情報（感知器回線の発報を示すものであるはず）であるから、地区表示灯１１ａと発信表示灯１１ｃとを同時点灯させて、フラグＦをクリアする。これに対して、フラグＦがセットされてないならば、ステップ２０５で読み出された発信情報は、発信機２２の発報直前に記録された発報情報ではないから、地区表示灯１１ａを点灯させる。
【００４７】
ステップ２１１は、表示切換操作を待機する処理である。ここで終了操作があれば手順を途中終了させてもよい。
【００４８】
ステップ２１３は、Ｍステップの発報履歴全てを表示したか否かを判断する処理である。ここでポインタｍの値がポインタｎの値に等しければ、Ｍステップの全てが表示済みである。その場合、ステップ２１５で地区表示灯１１ａ、発信表示灯１１ｃを全点灯させることで表示終了を通知してから手順を終了させる。一方ポインタｍの値がポインタｎの値に等しくないならば、ステップ２１４で地区表示灯１１ａ、発信表示灯１１ｃの全てを消灯させることでステップの区切りを示してから、ステップ２０２に戻る。このような手順により、Ｍステップの発報履歴をｎ−１番目スロットから降順で全て表示することができる。
【００４９】
次いで発報履歴の通知の具体例を説明する。ここに自動火災報知システムは、５階建ての建造物を監視対象として、各階をそれぞれ１系統の感知器回線２で監視すると想定する。すなわち、感知器回線２＃１は１階共用部、感知器回線２＃２は２階、感知器回線２＃３は３階、感知器回線２＃４は４Ｆ、感知器回線２＃５は５Ｆに敷設されている。
【００５０】
図８は感知器回線２の発報順序を示している。時刻Ｔ１には感知器回線２＃２が発報し、時刻Ｔ２には感知器回線２＃１が発報している。そして時刻Ｔ３には発信機２２が発報している。
【００５１】
時刻Ｔ３以降、たとえば時刻Ｔ４において、表示部１１は図２のような代表灯１１ｂ、地区表示灯１１ａ、発信表示灯１１ｃが点灯状態になっている。すなわち代表灯１１ｂが点灯して火災発生を報知するとともに、感知器回線２＃１、２＃２の地区表示灯１１ａが点灯して、それぞれ１Ｆ共用部、２Ｆで火災検知していることを示し、発信表示灯１１ｃが点灯して、発信機２２が操作されたことを示している。
【００５２】
その後、いずれの感知器回線２、発信機２２も発報していない状態で発報履歴表示を行った場合、その表示は図９に示すようになる。すなわち最初に、感知器回線２＃１の地区表示灯１１ａと発信表示灯１１ｃとが同時点灯した回線特定表示（ａ）となる。そして表示切換操作がなされると、感知器回線２＃２の地区表示灯１１ａが点灯した回線特定表示（ｂ）に切り換わる。
【００５３】
このように本発明は、感知器回線の発報履歴を地区表示灯や発信表示灯の点灯によって1ステップずつ表示する構成としているので、操作が簡単であり、理解も容易である。履歴表示のための７セグメントＬＥＤや液晶パネル等は必要とされないので、履歴表示機能を有した受信機を安価に提供できる。
【００５４】
また発報履歴の通知では、発信機の発報を通知する際に、発信表示灯と、発信機と同時（またはその直前）に発報した感知器回線に対応した地区表示灯を同時点灯させる（図１０（ａ）参照）。このようにして発信機の発報を感知器回線の発報に組み付けて表示すれば、どの感知器回線に対応した発信機が発報したのかが容易に推定できる。
【符号の説明】
【００５５】
１      受信機
１１ａ  地区表示灯
１１ｃ  発信表示灯
１４    記憶部
１５    制御部
２      感知器回線
２１    感知器
２２    発信機
【図１】
0006048922.tif 000002
【図２】
0006048922.tif 000003
【図３】
0006048922.tif 000004
【図４】
0006048922.tif 000005
【図５】
0006048922.tif 000006
【図６】
0006048922.tif 000007
【図７】
0006048922.tif 000008
【図８】
0006048922.tif 000009
【図９】
0006048922.tif 000010